(57)【特許請求の範囲】
【請求項１】
受信信号の電界レベルと所定の基準値との比較に基づいて、局検出信号を出力して選局動作を停止するＦＭ受信機において、
受信信号を入力信号とするＦＭ検波回路と、このＦＭ検波回路からの出力信号を全波整流して変調度検出信号として出力する回路とを備え、刻々と変化する受信信号の変調度を、前記出力信号を用いて出力電圧を判別することで検出する変調度検出部と、
基準電圧供給部と、この基準電圧供給部に接続された抵抗と、この抵抗に接続され且つ前記変調度検出部からの入力として、前記変調度検出部が検出した連続的に変化する変調度に応じた変化電圧を印加されるトランジスタとを備え、
前記トランジスタの入力として、前記変化電圧を印加し、前記基準値を連続的に変化させる基準電圧制御部と、
を備えることを特徴とするＦＭ受信機。
【発明の詳細な説明】
【０００１】
【発明の属する技術分野】
本発明は、放送局の自動選局機能に改良を施したＦＭ受信機に関するものである。
【０００２】
【従来の技術】
一般に車載用のラジオ受信機には、オートサーチと呼ばれる局検出機能が設けられている。このオートサーチは、各放送局からの受信周波数を順番にチェックして行き、一定の電界強度以上の周波数を検出した場合にサーチ動作を停止し、その放送局を受信するものである。
【０００３】
図６は、このような局検出機能を備えたＦＭ受信機の一例を示すブロック図である。図６において、１はアンテナ、２はＦＭフロントエンド、３はＩＦ（中間周波数）増幅回路である。このＩＦ増幅回路３の第１の出力端には、ＦＭ検波回路４およびＦＭ検波出力端子５が順次接続されている。一方、ＩＦ増幅回路３の第２の出力端には、受信電界レベル信号（一般にＳメータ信号とも呼ばれる）を得るためのＡＭ検波回路６が接続されている。このＡＭ検波回路６の出力端子７は局検出信号（サーチ動作の停止信号）ＳＤの検出回路９の入力端子に接続されている。また、この局検出信号の検出回路９の入力端子には、基準電圧Ｖｓの供給部８が接続されている。
【０００４】
このような構成を有する従来のＦＭ受信機において、サーチ動作中にある特定の放送局からの電波をアンテナ１が受信すると、その電波をＦＭフロントエンド２およびＩＦ増幅回路３によって処理することにＩＦ信号を得て、このＩＦ信号をＡＭ検波回路６により検波して、受信電界レベル信号を得る。この受信電界レベル信号を検出回路９において基準電圧Ｖｓと比較し、受信電界レベル信号が基準電圧Ｖｓよりも大きい場合には検出回路９の出力端子１０から局検出信号ＳＤを出力し、サーチ動作を停止してその放送局の受信を継続する。一方、受信電界レベル信号が基準電圧Ｖｓよりも小さい場合には、検出回路９から局検出信号ＳＤが出力されることがないのでサーチ動作が継続し、この放送局についての受信を中止して、次の周波数の放送局について新たに局検出信号ＳＤの有無が検出される。
【０００５】
【発明が解決しようとする課題】
ところで、従来のＦＭ受信機において、受信帯域幅を大きくとっている場合には、変調によるＩＦ信号レベルの変動がないため、停止感度も変動しない。しかし、隣接妨害特性の向上などを目的として、ＩＦ増幅回路の前段に狭帯域のＩＦフィルタを設け、受信帯域幅を狭帯域に制限する場合がある。その場合、広帯域のＩＦフィルタを設けた場合に比較して復調出力の高域成分が制限されるため、変調度が大きい時に受信電界レベル信号の出力が落ち込み、これに伴い局検出信号ＳＤが出力されなくなる。この局検出信号ＳＤの停止時間が所定の値以上になると、次の放送局に対するサーチ動作が開始されてしまう問題があった。
【０００６】
この点を図７によって具体的に説明する。図７（ａ）はＦＭ変調信号の周波数偏移を示したものであり、図７の（ｂ）の点線は受信周波数帯域が狭い場合、実線は帯域が広い場合を示す。図７（ａ）に示すＦＭ変調信号の周波数偏移が大きくなると、図７（ｂ）の帯域が狭い場合はフィルタの帯域外となり、ＩＦ増幅回路３からの出力が減少する。すると、このＩＦ増幅回路３の出力をＡＭ検波して得られる受信電界レベル信号のレベルが、図７（ｃ）の実線のように基準電圧Ｖｓを境に変動する。その結果、この受信電界レベル信号と基準電圧Ｖｓとを比較して得られる局検出信号ＳＤが、図７（ｄ）の太い実線のように出力されたり、なくなったりして変化する。このように、従来技術では、受信信号のレベルは十分に高いにもかかわらず、受信周波数帯域が狭いことが原因で局検出信号ＳＤが出力されなくなり、次のサーチ動作が開始されてしまう。
【０００７】
これを改善するために、受信周波数帯域が狭い場合には、図７（ｃ）の一点鎖線で示すように、ＡＭ検波回路６からの出力信号をコンデンサで平滑化することで、ＦＭ変調信号の高域成分がカットされた場合でも、その部分の出力レベルの低下がそのまま受信電界レベル信号の出力低下に繋がらないようにする提案がなされている。このように受信電界レベル信号を平滑化すると、図７（ｄ）に示すように、局検出信号ＳＤの停止時間が短くなるため、たとえ局検出信号ＳＤのレベルが低下してもサーチ動作が開始せず、継続してその放送局を受信することができる。しかし、このようにコンデンサを使用すると、受信電界レベル信号がＡＭ検波回路６からの出力信号に比較して遅れた波形となるため、局検出信号ＳＤの出力タイミングが遅れ、自動選局動作の応答性が悪くなる。
【０００８】
本発明は、前記のような従来技術の問題点を解決するために提案されたものであって、その目的は、受信周波数帯域が狭い場合でも停止感度が大きく変動せず、しかも応答遅れが生じることがない自動選局機能を有するＦＭ受信機を提供することにある。
【０００９】
【課題を解決するための手段】
前記の目的を達成するために、請求項１の発明は、受信信号の電界レベルと所定の基準値との比較に基づいて、局検出信号を出力して選局動作を停止するＦＭ受信機において、受信信号を入力信号とするＦＭ検波回路と、このＦＭ検波回路からの出力信号を全波整流して変調度検出信号として出力する回路とを備え、刻々と変化する受信信号の変調度を、前記出力信号を用いて出力電圧を判別することで検出する変調度検出部と、基準電圧供給部と、この基準電圧供給部に接続された抵抗と、この抵抗に接続され且つ前記変調度検出部からの入力として、前記変調度検出部が検出した連続的に変化する変調度に応じた変化電圧を印加されるトランジスタとを備え、前記トランジスタの入力として、前記変化電圧を印加し、前記基準値を連続的に変化させる基準電圧制御部と、を備えることを特徴とする。
【００１０】
このような構成を有する請求項１の発明によれば、受信信号の変調度が高く、その高域成分が受信周波数帯域から外れ、受信電界レベルが低下するような場合であっても、受信信号の変調度に合わせて基準電圧を低下させることにより、局検出信号が継続して出力される。その結果、受信信号の変調度にかかわりなく、安定して選局動作を実施することができる。
【００１２】
また、受信信号をＦＭ検波回路で検波し、この検波信号を全波整流して得られた変調度検出信号により、基準電圧を制御する。この変調度検出信号による基準電圧制御は、変調度が高く、受信電界レベル信号が落ち込むときは、変調度検出信号を用いて基準電圧を抵抗ＲとトランジスタＴにより引き落とし、これを局検出信号の検出回路に与える。
【００１３】
【発明の実施の形態】
以下、本発明のＦＭ受信機の実施形態を図面に基づいて具体的に説明する。
【００１４】
（１）実施形態の構成
図１は本発明の一実施形態を示すブロック回路図であって、ＦＭフロントエンド２の出力側にＩＦ増幅回路３およびＦＭ検波回路４が設けられ、またＩＦ増幅回路３からは受信電界レベル信号検出用のＡＭ検波回路６が接続されている点については、前記図６に示した従来技術と同様の構成である。本実施形態においてはＦＭ検波回路４の出力側に、ＦＭ検波回路４から出力された検波出力の変調度を検出する変調度検出回路２０が設けられている。また、本実施形態では、基準電圧Ｖｓを変動させるための基準電圧制御回路３０が設けられている。そして前記変調度検出回路２０の出力が、この基準電圧制御回路３０に入力されている。
【００１５】
前記変調度検出回路２０は、図２に示すように、位相反転バッファ２１と、整流用のダイオード２２とを並列に設けたものであって、入力されたＦＭ検波信号が、プラス成分のみの変調度を検出信号に全波整流されるものである。すなわち、この変調度検出回路２０における変調度の検出は、図３に示すように、ＦＭ検波出力信号を使うことによる。ＦＭ検波は、Ｆ−Ｖ変換器（周波数−直流電圧変換）を用いて行うものであり、ＦＭ受信信号の偏移が例えばプラスになれば直流電圧がプラスに変化する。従って、ＦＭ受信信号の変調度を検波出力電圧で判別することができる。基準電圧は、この変調度で中間周波数の帯域幅をプラスでオーバー、マイナスでオーバーするときの検波出力電圧で可変すればよい。この時に帯域のオーバーにプラス側とマイナス側があるため、ＦＭ検波信号を図２の変調検出回路によって、全波整流し基準電圧を制御する。
【００１６】
一方、基準電圧制御回路３０は、図４に示すように、基準電圧供給部８に接続された抵抗Ｒとこの抵抗Ｒに接続されたトランジスタＴと備え、このトランジスタＴの入力端子に前記変調度検出回路２０の出力端子が接続されている。そして、このトランジスタＴと抵抗Ｒとが前記局検出信号の検出回路９の入力端子に接続されている。
【００１７】
（２）実施形態の作用
このような構成を有する本実施形態のＦＭ受信機においては、図１のＩＦ増幅回路３から出力されたＦＭ信号はＦＭ検波回路４で検波され、図５（ａ）に示す検波信号が得られる。この検波信号は、図２に示す変調度検出回路２０で全波整流されて図５（ｂ）に示す変調度検出信号となる。この変調度検出信号による基準電圧Ｖｓの制御は、図４のような基準電圧制御回路３０で、トランジスタＴの入力に変調度検出信号のレベルに応じた変化電圧を印加し、局検出信号の検出回路９に与える基準電圧Ｖｓの直流電圧を抵抗ＲとトランジスタＴで分割制御する。すなわち、図５（ｃ）に示すように、変調度が高く、受信電界レベル信号が落ち込むときは、変調度検出回路２０からの出力信号で、基準電圧を抵抗ＲとトランジスタＴにより引き落とし、これを局検出信号ＳＤの検出回路９に与えるように行わせる。
【００１８】
一方、ＩＦ増幅回路３からは電界強度に応じた受信電界レベル信号が出力され、これが局検出信号の検出回路９に加えられる。検出回路９の他方の入力には、前記変調度検出回路２０で制御された基準電圧が与えられ、その電圧と受信電界レベル信号の電圧とが比較され、図５（ｃ）の直線部分に示すように、基準電圧より受信電界レベル信号の電圧が高い場合に検出回路９は、図５（ｄ）のようにシークを停止させるための局検出信号ＳＤが出力される。また、変調度が高く、ＩＦ帯域幅を超える周波数偏移の場合は受信電界レベル信号が下がるが、本実施の形態では、変調度検出回路２０と基準電圧制御回路３０により、図５（ｃ）の谷間状に落ち込んだ曲線部分に示すように、検出回路９に入力される基準電圧Ｖｓが引き落とされるため受信電界レベル信号が基準電圧Ｖｓを上回り、変調度の変化の影響はなくなり、安定した局検出信号ＳＤの判定を行うことができる。
【００１９】
【発明の効果】
以上のような構成を有する本発明のＦＭ受信機によれば、受信帯域が狭い場合であっても選局した放送局の電波を安定して受信することが可能であり、しかも選局動作時に応答遅れが生ずることがないＦＭ受信機を提供することが可能となる。
【図面の簡単な説明】
【図１】本発明によるＦＭ受信機の第１実施形態を示すブロック図。
【図２】図１の実施形態における変調度検出回路部分を示す回路図。
【図３】図２の変調度検出回路の動作を説明する波形図。
【図４】図１の実施形態における基準電圧制御部の一例を示す回路図。
【図５】図１の実施形態における各部の動作を説明する波形図。
【図６】従来のＦＭ受信機の構成を示すブロック図。
【図７】従来のＦＭ受信機の欠点を説明する波形図。
【符号の説明】
１…アンテナ
２…ＦＭフロントエンド
３…増幅回路
４…検波回路
５…検波出力端子
６…検波回路
７…出力端子
８…基準電圧供給部
９…検出回路
１０…出力端子
２０…変調度検出回路
２１…位相反転バッファ
２２…ダイオード
３０…基準電圧制御回路
Ｖｓ…基準電圧
ＳＤ…局検出信号
Ｒ…抵抗
Ｔ…トランジスタ
【図１】
0004375636.tif 000002
【図２】
0004375636.tif 000003
【図３】
0004375636.tif 000004
【図４】
0004375636.tif 000005
【図５】
0004375636.tif 000006
【図６】
0004375636.tif 000007
【図７】
0004375636.tif 000008